(57)【要約】  【課題】従来から、テレビ放送等では受信機の画面サイズに比例した表示が行なわれるため、受信機等の表示画面が小さい場合は、字幕テロップなどの文字も小さく表示され、視認しにくいという問題がある。  【解決手段】本発明に係る画像拡大装置は、取得した画像コンテンツ情報が構成する画像中の文字列情報やコンテンツ属性情報に基づいて、画像中で文字列が表示される領域である文字画像領域を示す文字画像領域情報を取得することにより、文字画像領域を拡大表示する機能を有する。【選択図】            図１
2006285051.tif 000002
【特許請求の範囲】
【請求項１】
画像コンテンツ情報を取得するコンテンツ情報取得部と、
前記画像コンテンツ情報が構成する画像中文字列の情報である文字列情報を取得する文字列情報取得部と、
前記文字列情報取得部にて取得する文字列情報に基づいて前記画像中に文字列が表される領域である文字画像領域を示す文字画像領域情報を取得する文字画像領域情報取得部と、
前記文字画像領域情報取得部にて取得した文字画像領域情報に基づいて文字画像領域を拡大して表示するために画像コンテンツ情報の全部又は一部を処理する拡大処理部と、
前記拡大処理部の処理により得られた処理済画像コンテンツ情報に基づいて文字画像領域を拡大表示する拡大表示部と、
各部を制御する制御部と、
を有する画像拡大装置。
【請求項２】
前記コンテンツ情報取得部にて取得する画像コンテンツ情報の属性情報であるコンテンツ属性情報を取得するコンテンツ属性情報取得部を有し、
前記文字画像領域情報取得部は、前記コンテンツ属性情報にも基づいて前記文字画像領域情報を取得することを特徴とする請求項１に記載の画像拡大装置。
【請求項３】
前記コンテンツ情報取得部は、放送番組の受信により画像コンテンツ情報を取得する放送コンテンツ受信手段を有し、
前記コンテンツ属性情報取得部は、前記放送コンテンツ受信手段にて受信した画像コンテンツ情報の種類を表す情報である種類情報を取得する種類情報取得手段を有することを特徴とする請求項２に記載の画像拡大装置。
【請求項４】
前記拡大処理部は、前記画像コンテンツ情報の全部又は一部の画像劣化抑制処理を行なう画像劣化抑制処理手段を有する請求項１から３のいずれか一に記載の画像拡大装置。
【請求項５】
前記拡大処理部は、前記画像コンテンツ情報の全部又は一部の色変更処理を行なう色変更処理手段を有する請求項１から４のいずれか一に記載の画像拡大装置。
【請求項６】
前記拡大処理部は、前記画像コンテンツ情報の全部又は一部の画像装飾処理を行なう画像装飾処理手段を有する請求項１から５のいずれか一に記載の画像拡大装置。
【請求項７】
前記文字列情報取得部にて文字列情報が取得されたかの判断を行なう文字列情報有無判断部と、
前記文字列情報有無判断部での判断結果である文字列情報有無判断結果を通知する文字列情報有無判断結果通知部と、
を有する請求項１から６のいずれか一に記載の画像拡大装置。
【請求項８】
前記文字画像領域情報取得部にて文字画像領域情報が取得されたかの判断を行なう文字画像領域情報有無判断部と、
前記文字画像領域情報有無判断部での判断結果である文字画像領域情報有無判断結果を通知する文字画像領域情報有無判断結果通知部と、
を有する請求項１から７のいずれか一に記載の画像拡大装置。
【請求項９】
前記コンテンツ属性情報取得部にてコンテンツ属性情報が取得されたかの判断を行なうコンテンツ属性情報有無判断部と、
前記コンテンツ属性情報有無判断部での判断結果であるコンテンツ属性情報有無判断結果を通知するコンテンツ属性情報有無判断結果通知部と、
を有する請求項２から８のいずれか一に記載の画像拡大装置。
【請求項１０】
前記文字画像領域の一の領域から他の領域への変化を示す文字画像領域変化情報を取得する文字画像領域変化情報取得部を有し、
前記文字画像領域変化情報取得部が文字画像領域変化情報を取得した場合には、前記文字画像領域変化情報を通知する文字画像領域変化情報通知部と、
を有する請求項１から９のいずれか一に記載の画像拡大装置。
【請求項１１】
前記文字列情報が変化した際の変化に関する情報である文字列情報変化情報を取得する文字列情報変化情報取得部を有し、
前記文字列情報変化情報取得部が文字列情報変化情報を取得した場合には、前記文字列情報変化情報を通知する文字列情報変化情報通知部と、
を有する請求項１から１０のいずれか一に記載の画像拡大装置。
【請求項１２】
前記コンテンツ属性情報が変化した際の変化に関する情報であるコンテンツ属性情報変化情報を取得するコンテンツ属性情報変化情報取得部を有し、
前記コンテンツ属性情報変化情報取得部がコンテンツ属性情報変化情報を取得した場合には、前記コンテンツ属性情報変化情報を通知するコンテンツ属性情報変化情報通知部と、
を有する請求項２から１１のいずれか一に記載の画像拡大装置。
【請求項１３】
前記各通知部は、前記拡大表示部への表示、音、振動、発光、のいずれか一以上にて通知することを特徴とする請求項７から１２のいずれか一に記載の画像拡大装置。
【請求項１４】
前記処理済画像コンテンツ情報を保持する処理済画像コンテンツ情報保持部を有する請求項１から１３のいずれか一に記載の画像拡大装置。
【請求項１５】
前記処理済画像コンテンツ情報保持部に保持されている処理済画像コンテンツ情報を送信するための処理済画像コンテンツ情報送信部を有する請求項１４に記載の画像拡大装置。
【請求項１６】
前記制御部は、制御情報により制御を実行するとともに、
前記制御情報を複数保持する制御情報保持部と、
制御情報保持部に保持されている制御情報を制御部として機能させるための選択部と、
を有する請求項１から１５のいずれか一に記載の画像拡大装置。
【請求項１７】
前記制御情報には、文字拡大領域と、文字列情報とを関連付けた第一文字拡大領域テーブルが含まれる請求項１６に記載の画像拡大装置。
【請求項１８】
前記制御情報には、文字拡大領域と、コンテンツ属性情報とを関連付けた第二文字拡大領域テーブルが含まれる請求項１６又は１７に記載の画像拡大装置。
【請求項１９】
前記制御情報には、前記拡大表示する際の拡大率を定めるための拡大率情報が含まれる請求項１６から１８のいずれか一に記載の画像拡大装置。
【請求項２０】
前記制御情報には、前記通知をする際に利用する通知手段を定めるための情報である通知手段特定情報が含まれる請求項１６から１９のいずれか一に記載の画像拡大装置。
【請求項２１】
前記制御情報保持部に保持されている制御情報を管理する制御情報管理部をさらに有する請求項１６から２０のいずれか一に記載の画像拡大装置。
【請求項２２】
内部又は外部から電子的処理に応じて発生する処理関連信号を取得する処理関連信号取得部を有し、
前記制御情報は、処理関連信号取得部が取得する処理関連信号に応じて制御を定める処理関連信号依存実行テーブルを有する請求項１６から２１のいずれか一に記載の画像拡大装置。
【請求項２３】
画像コンテンツ情報を取得するコンテンツ情報取得ステップと、
前記画像コンテンツ情報が構成する画像中文字列の情報である文字列情報を取得する文字列情報取得ステップと、
前記文字列情報取得ステップにて取得する文字列情報に基づいて前記画像中に文字列が表される領域である文字画像領域を示す文字画像領域情報を取得する文字画像領域情報取得ステップと、
前記文字画像領域情報取得ステップにて取得した文字画像領域情報に基づいて文字画像領域を拡大して表示するために画像コンテンツ情報の全部又は一部を処理する拡大処理ステップと、
前記拡大処理ステップでの処理により得られた処理済画像コンテンツ情報に基づいて文字画像領域を拡大表示する拡大表示ステップと、
を有する画像拡大表示方法。
【請求項２４】
前記コンテンツ情報取得ステップにて取得する画像コンテンツ情報の属性情報であるコンテンツ属性情報を取得するコンテンツ属性情報取得ステップを有し、
前記文字画像領域情報取得ステップは、前記コンテンツ属性情報にも基づいて前記文字画像領域情報を取得することを特徴とする請求項２３に記載の画像拡大表示方法。
【請求項２５】
前記コンテンツ情報取得ステップは、放送番組の受信により画像コンテンツ情報を取得する放送コンテンツ受信ステップを有し、
前記コンテンツ属性情報取得ステップは、前記放送コンテンツ受信ステップにて受信した画像コンテンツ情報の種類を表す情報である種類情報を取得する種類情報取得ステップを有することを特徴とする請求項２４に記載の画像拡大表示方法。
【発明の詳細な説明】
【技術分野】
【０００１】
本発明は、画像拡大装置に関する。
【背景技術】
【０００２】
従来から、テレビ放送等では受信機の画面サイズに比例した表示が行なわれるため、受信機等の表示画面が小さい場合は、字幕テロップなどの文字も小さく表示され、視認しにくいという問題がある。このような問題に対して、特許文献１においては、テキスト表示されている文字列の表示倍率を拡大させ、視認しやすくする機能を有する携帯型端末装置に関する発明が開示されている。
【特許文献１】特開２００４−１２７０４５号公報
【発明の開示】
【発明が解決しようとする課題】
【０００３】
しかしながら、特許文献１に係る携帯型端末装置では、拡大の対象とする文字列を携帯型端末装置の利用者が指定することが想定されており、煩雑である。
【課題を解決するための手段】
【０００４】
本発明は、かかる実情に鑑み、取得した画像コンテンツ情報が構成する画像中の文字列情報に基づいて、画像中で文字列が表示される領域である文字画像領域を示す文字画像領域情報を取得することにより、文字画像領域を拡大表示することが可能な画像拡大装置を提案する。
【０００５】
また、画像コンテンツ情報の属性情報であるコンテンツ属性情報を取得し、取得したコンテンツ属性情報にも基づいて文字画像領域を取得することができる。例えば、取得した画像コンテンツ情報が番組放送に関するものであれば、放送局や番組内容等を示す情報であるコンテンツ属性情報を取得することができる。スポーツ中継や、映画、音楽番組などは、字幕テロップやスコア表示等がほぼ同じ場所に表示される場合も多いため、コンテンツ属性情報を画像コンテンツ情報に関連付けて画像拡大装置内に保持しておき、画像コンテンツ情報を取得するとともにコンテンツ属性情報をも取得することにより、より迅速に文字画像領域を特定することができる。
【０００６】
さらに、拡大表示する際に、画像拡大装置の利用者が拡大率を調整することが可能であり、利用者が指定した拡大率を保存しておき、同様の画像コンテンツ情報を取得した場合には保存しておいた拡大率にて拡大表示する等も可能である。
【０００７】
また、文字列情報の有無、文字画像領域情報の有無、コンテンツ属性情報の有無等を検出し出力する、文字画像領域を拡大表示する際に画像劣化を抑制する処理を行なう、色変更処理や画像装飾処理を行なう、などの機能も有する。
【発明の効果】
【０００８】
以上のように、本発明に係る画像拡大装置においては、字幕テロップやスポーツ中継におけるスコア等の文字画像領域を特定し、拡大表示する機能を有する。これによりコンテンツの受信機等の表示画面が小さい場合でも、従来ならば視認しにくくなってしまう文字列を見やすく表示することが可能となる。また、逐一利用者が拡大すべき文字列を指定する必要もないため、利用者にとって利便性が高い。さらに、拡大表示する際に、利用者が拡大率を指定する、色変更処理や装飾処理などを行なう、等が可能であるので、利用者が独自に拡大表示の仕方を変えることができる。また、遊び心を抱かせることにより、画像拡大装置の利用を促進する効果もある。
【発明を実施するための最良の形態】
【０００９】
本発明を実施するための最良の形態について図面を用いて詳細に説明する。なお、本発明はこれら実施の形態に何ら限定されるものではなく、その要旨を逸脱しない範囲において、種々なる態様で実施しうる。なお、以下の実施形態と請求項の関係は次の通りである。実施形態１は、主に請求項１、２３などについて説明する。実施形態２は、主に請求項２、２４などについて説明する。実施形態３は、主に請求項３、２５などについて説明する。実施形態４は、主に請求項４などについて説明する。実施形態５は、主に請求項５などについて説明する。実施形態６は、主に請求項６などについて説明する。実施形態７は、主に請求項７、１３などについて説明する。実施形態８は、主に請求項８、１３などについて説明する。実施形態９は、主に請求項９、１３などについて説明する。実施形態１０は、主に請求項１０、１３などについて説明する。実施形態１１は、主に請求項１１、１３などについて説明する。実施形態１２は、主に請求項１２、１３などについて説明する。実施形態１３は、主に請求項１４などについて説明する。実施形態１４は、主に請求項１５などについて説明する。実施形態１５は、主に請求項１６、１７、１８、１９、２０などについて説明する。実施形態１６は、主に請求項２１などについて説明する。実施形態１７は、主に請求項２２などについて説明する。
（実施形態１）
【００１０】
（実施形態１：概要）本実施形態は、画像コンテンツ情報を取得し、画像コンテンツ情報が構成する画像中の文字列に関する文字列情報を取得し、文字列情報に基づいて文字画像領域を特定し拡大表示する機能を有する画像拡大装置に関する。
【００１１】
（実施形態１：構成）本実施形態に係る画像拡大装置の機能ブロックを図１に例示する。画像拡大装置（０１００）は、「コンテンツ情報取得部」（０１０１）と、「文字列情報取得部」（０１０２）と、「文字画像領域情報取得部」（０１０３）と、「拡大処理部」（０１０４）と、「拡大表示部」（０１０５）と、「制御部」（０１０６）とを有する。画像拡大装置（０１００）は、画像を表示できる機能を有する電子機器全般が該当するが、特に、携帯電話のようにディスプレイの小さい携帯型端末などの場合には、より効果的である。
【００１２】
なお、本件発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。（明細書の全体を通じて同様である。）
【００１３】
「コンテンツ情報取得部」（０１０１）は、画像コンテンツ情報を取得する機能を有する。「画像コンテンツ」とは、画像を主としたコンテンツを意味する。画像を必ず含むが、画像以外にも音声等が含まれていてもよい。例えば、放送番組の全体であってもよいし、一部であってもよい。また、ゲーム等のプログラムであってもよい。また、静止画であってもよいし、動画であってもよい。画像コンテンツは、コンテンツ信号により実現される。「画像コンテンツ情報」とは、画像コンテンツのコンテンツ信号を意味する。また、コンテンツ情報取得部は、画像コンテンツ情報以外にも、後述の文字列情報やコンテンツ属性情報等の情報をともに取得してもよい。画像コンテンツ情報は、外部の放送局やコンテンツ事業者等から取得することを想定している。また、画像コンテンツ情報を外部から取得する際の通信は、有線によってもよいし無線によってもよい。
【００１４】
「文字列情報取得部」（０１０２）は、前記画像コンテンツ情報が構成する画像中文字列の情報である文字列情報を取得する機能を有する。「文字列」とは、一以上の文字から構成される文字の羅列を意味する。「画像中文字列」とは、画像中に含まれる文字列を意味する。「文字列情報」とは、具体的には、文字列そのもの、文字列を識別するための識別子、文字列の種類、文字列のフォーマット、等が想定される。文字列の種類とは、例えば、スコア、字幕、材料名、歌詞、などを表す情報である。また、文字列のフォーマットとは、例えば、野球中継で表示されるスコアを「Ｎ−Ｎ（Ｎは正の整数）」というようなフォーマットで表すような場合である。また、文字列情報の取得方法は、様々に考えられる。まず、文字列情報自体を外部又は内部から直接取得する方法が考えられる。また、文字列情報自体が取得できなくとも、例えば、取得した画像コンテンツ情報が構成する画像をＯＣＲ（Ｏｐｔｉｃａｌ  Ｃｈａｒａｃｔｅｒ  Ｒｅａｄｅｒ）等の文字読取装置により画像を走査して文字部分を認識することで、文字列が取得できる。さらに、取得した文字列が「Ｎ−Ｎ（Ｎは正の整数）」という文字列であれば「スコア」であると推定するようになっていてもよい。また、ＥＰＧ（Ｅｌｅｃｔｒｏｎｉｃ  Ｐｒｏｇｒａｍ  Ｇｕｉｄｅ）等を取得することで現在時刻と受信チャンネルから番組を特定し、例えば、映画であれば文字列の種類は字幕である、と推定する方法等も考えられる。
【００１５】
図２は、文字列情報取得部の具体例を示す。例えば、図２のような画像を構成する画像コンテンツ情報が取得され、この画像をＯＣＲで走査して「キャベツ１／２コ  にんじん１／４本  肉１００ｇ  砂糖大さじ１／２はい  しょうゆ大さじ１はい  塩少々」という文字が認識されたとする。このような場合、例えば、「塩」、「しょうゆ」、「砂糖」、「こしょう」「少々」、「大さじ」、「小さじ」のうち、少なくとも２つが含まれている場合には、この文字列の種類は「材料名」である、と推定するようになっていれば、文字列情報取得部において「材料名」という文字列情報自体が取得できなくとも、取得した画像コンテンツ情報が構成する画像から、表示された文字列が料理を作るための材料名である文字列情報を推定することができる。
【００１６】
「文字画像領域情報取得部」（０１０３）は、前記文字列情報取得部（０１０２）にて取得する文字列情報に基づいて前記画像中に文字列が表される領域である文字画像領域を示す文字画像領域情報を取得する機能を有する。「文字画像領域」は、例えば、画像をいくつかの領域に分割することで文字列を含む領域を文字画像領域としてもよいし、拡大すべき範囲を画素単位で指定した領域を文字画像領域としてもよい。前者の場合であれば、文字画像領域情報は、領域ごとに領域番号のような識別子を振ることにより領域番号で指定する等の方法が考えられる。後者の場合であれば、文字画像領域情報は、画素の位置を数字で示す等の方法が考えられる。「文字列情報取得部にて取得する文字列情報に基づいて」とは、画像拡大装置（０１００）は文字列情報と文字画像領域情報を関連付けた情報を保持していることを想定しており、文字列情報取得部にて取得した文字列情報から文字画像領域情報を抽出することを意味する。
【００１７】
図３、図４は、文字画像領域の具体例を示す。図３は、画像をいくつかの領域に分割して文字列を含む領域を文字画像領域とする場合を例示する。図３は画像のサイズが２４０×３２０（画素）の場合を示しているが、４０×４０（画素）を一つの領域として６×８＝４８の領域に分割し、各領域に領域番号を割り当てている。また、実線で囲まれた領域が文字画像領域であるとする。例えば、領域番号の羅列により文字画像領域を示すとすると、文字画像領域情報は「５１、５２、５３、５４、６１、６２、６３、６４」となる。また、文字列の左上画素と右下画素の位置を含む領域の領域番号を指定することで文字画像領域を示すとすると、文字画像領域情報は「５１、６４」となる。図４は、拡大すべき範囲を画素単位で指定した領域を文字画像領域とする場合を例示する。図４も図３と同様に、画像のサイズが２４０×３２０（画素）の場合を示している。また、実線で囲まれた領域が文字画像領域であるとする。例えば、左上画素と右下画素の位置を指定することで文字画像領域を示すとすると、画像左上を（１、１）として、文字画像領域は「（４０、２００）：（２００、２８０）」等と示される。また、文字画像領域の中心の画素と範囲を指定することで文字画像領域を示すとすると、文字画像領域情報は「中心：（１２０、２４０）、範囲：（１６０、８０）」等と示すことができる。
【００１８】
図５は、本実施形態に係る文字画像領域情報取得部の具体例を示す。ここでは、文字列情報は文字列の種類であり、文字画像領域情報は領域番号の羅列で表されているとする。画像拡大装置は、図５に示すような文字列情報と文字画像領域情報とを関連付けているコンテンツ管理情報ＤＢを保持しているとする。文字列情報取得部において「字幕」という文字列情報が取得されたとすると、コンテンツ関連情報ＤＢより文字画像領域情報として「７２、７３」が取得される。
【００１９】
「拡大処理部」（０１０４）は、前記文字画像領域情報取得部（０１０３）にて取得した文字画像領域情報に基づいて文字画像領域を拡大して表示するために画像コンテンツ情報の全部又は一部を処理する機能を有する。「画像コンテンツ情報の全部又は一部」とは、拡大した文字画像領域を取得する方法によって、画像コンテンツ情報の全部を処理する場合と一部のみを処理する場合があるという意味である。例えば、取得した画像コンテンツ情報で構成される画像全体を拡大してから文字列部分だけを切り取る場合には、画像コンテンツ情報の全部を処理する必要がある。また、取得した画像コンテンツ情報で構成される画像のうち文字画像領域を切り取ってから拡大する場合には、画像コンテンツ情報の一部である文字画像領域のみを処理すればよい。また、コンテンツ情報取得部（０１０１）にて取得した画像コンテンツ情報を劣化処理してから表示する構成となっている装置に対して本実施形態の画像拡大装置が利用される場合には、拡大に利用する画像コンテンツ情報として、劣化前の画像コンテンツ情報を利用することも考えられる。一般に画像は拡大処理することにより画質が劣化するので、拡大に利用するオリジナル（の画像コンテンツ情報）は画質がよいものであるほど拡大画像を美しく表現できるからである。このような劣化処理は、例えば、放送で送られてくる高画質の画像コンテンツ情報を、携帯電話などの小型のディスプレイにあわせて表示するための劣化処理などが該当する。また、「処理する」とは、切り取り、拡大などのための処理全般を意味する。さらに、文字列部分が他の画像と重なって表示されている場合には、文字列以外の部分を消去する等の処理を施してもよい。
【００２０】
「拡大表示部」（０１０５）は、前記拡大処理部（０１０４）の処理により得られた処理済画像コンテンツ情報に基づいて文字画像領域を拡大表示する機能を有する。「処理済画像コンテンツ情報」とは、具体的には、図６にて説明のように拡大された文字画像領域を構成するための情報等である。拡大表示部は、具体的には電子機器のディスプレイ等が該当する。画像拡大装置（０１００）には、前記コンテンツ情報取得部（０１０１）で取得される画像コンテンツ情報が構成する画像を表示するためのディスプレイ等を備えている場合が多いと思われるが、それらのディスプレイ等の全部又は一部に文字画像領域を拡大表示することによって拡大表示部が実現されていてもよいし、別途、拡大表示専用のディスプレイ等を備えることでそれらに文字画像領域を拡大表示してもよい。例えば、画像拡大装置（０１００）が携帯電話であれば、携帯電話のサブ画面等に拡大表示してもよい。専用のディスプレイを備えていると、利用者が画像コンテンツを視聴していなくとも、拡大表示された文字画像領域だけを見ることもできるので利便性も高くなると思われる。さらに、画像を表示するディスプレイとは別体になっていてもよい。また、例えば、利用者が画像拡大装置のボタン等を操作することにより、画像コンテンツ情報が構成する画像と拡大された文字画像領域とを切り換えて表示するようになっていてもよい。
【００２１】
図６は、拡大処理部と拡大表示部の具体例を示す。図６では画像全体を拡大してから文字列部分だけを切り取る場合を例示する。また、文字画像領域を２倍に拡大する場合である。コンテンツ情報取得部において、図３と同様にサイズが２４０×３２０（画素）である画像を構成する画像コンテンツ情報を取得したとする。（実際にコンテンツ情報取得部において取得されるのはコンテンツ信号のようなデータであるが、図６においては概念的に画像コンテンツ情報によって構成される画像を図示している。）また、文字画像領域情報取得部において、図５と同様に「７２、７３」という文字画像領域情報を取得したとする。拡大処理部では、まず、コンテンツ情報取得部から取得した画像コンテンツ情報の全部を、元の画像コンテンツ情報にて構成される画像を２倍にするための画像コンテンツ情報となるように処理を行なう。即ち、サイズが４８０×６４０（画素）である画像を構成する画像コンテンツ情報となるような処理を行なう。また、文字画像領域情報も、元の画像コンテンツ情報にて構成される画像を２倍にした画像中において同じ文字列部分を示すように処理を行なう。この場合には、文字画像領域情報は「１４４、１４５、１４６、１４７、１５４、１５５、１５６、１５７」となる。以上の処理を通じて、処理済画像コンテンツ情報として、１６０×８０（画素）の斜線部の画像を構成するための情報が取得できる。（実際の処理済画像コンテンツ情報はコンテンツ信号のようなデータであるが、図６においては概念的に処理済画像コンテンツ情報によって構成される画像を図示している。）さらに、拡大処理部で得られた処理済画像コンテンツ情報に基づいて文字画像領域を拡大表示部にて拡大表示する。図６の場合は、元の画像コンテンツ情報が構成する画像と重ねて表示する場合の一例である。また、文字数が多いなどのために拡大してもなお視認することが困難であると考えられる場合や、視認することが可能な程度まで拡大すると画像コンテンツ情報が大きく損なわれるなどの場合には、別の拡大表示の仕方も考えられる。一例としては、拡大した文字列をテロップ表示したり、一部を音声として出力することである。
【００２２】
「制御部」（０１０５）は、各部を制御する機能を有する。「各部」とは、前述の各部のみならず、後述の構成要件である各部、各手段をも指す。また、図１などの図面において、制御部から各部への矢印線は煩雑となるため省略している。制御部は、具体的には、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）等が該当する。
【００２３】
（実施形態１：処理の流れ）図７は、本実施形態に係る画像拡大装置における処理の流れを示すフロー図を例示する。最初に、画像コンテンツ情報を取得する。この処理はコンテンツ情報取得部によって実行される（画像コンテンツ情報取得ステップ  Ｓ０７０１）。次に、文字列情報を取得する。この処理は文字列情報取得部によって実行される。また、この処理は前記画像コンテンツ情報取得ステップ（Ｓ０７０１）よりも先に、又は同時に実行される場合がある（文字列情報取得ステップ  Ｓ０７０２）。次に、前記文字列情報取得ステップ（Ｓ０７０２）で取得された文字列情報に基づいて文字画像領域情報を取得する。この処理は文字画像領域情報取得部によって実行される（文字画像領域情報取得ステップ  Ｓ０７０３）。次に、前記文字画像領域情報取得ステップ（Ｓ０７０３）にて取得された文字画像領域情報に基づいて、前記画像コンテンツ情報取得ステップ（Ｓ０７０１）にて取得された画像コンテンツ情報の全部又は一部を処理する。この処理は拡大処理部によって実行される（拡大処理ステップ  Ｓ０７０４）。最後に、前記拡大処理ステップ（Ｓ０７０４）における処理により得られた処理済画像コンテンツ情報に基づいて文字画像領域を拡大表示する。この処理は拡大表示部によって実行される（拡大表示ステップ  Ｓ０７０５）。
【００２４】
（実施形態１：効果）本実施形態に係る画像拡大装置は、画像コンテンツ情報を取得し、画像コンテンツ情報が構成する画像中の文字列に関する文字列情報を取得し、文字列情報に基づいて文字画像領域を特定し拡大表示する機能を有する。これにより、画像コンテンツ情報が構成する画像中に表示される文字列がそのままでは視認しづらい場合であっても、拡大表示されることで視認しやすくなる。特に、携帯型端末のように画像コンテンツを表示するディスプレイが小さい場合にはより効果的である。また、文字列情報に基づいて文字画像領域情報を取得することで、より効率的に文字画像領域情報を取得することが可能である。
（実施形態２）
【００２５】
（実施形態２：概要）本実施形態は、実施形態１に係る画像拡大装置の機能に加え、画像コンテンツ情報の属性情報であるコンテンツ属性情報を取得し、取得したコンテンツ属性情報にも基づいて文字画像領域情報を取得する機能を有する画像拡大装置に関する。
【００２６】
（実施形態２：構成）本実施形態に係る画像拡大装置の機能ブロックを図８に例示する。画像拡大装置（０８００）の構成は、実施形態１に係る画像拡大装置の構成に「コンテンツ属性情報取得部」（０８０７）を加えた構成となっている。また、文字画像領域情報取得部（０８０３）は、コンテンツ属性情報にも基づいて文字画像領域情報を取得することを特徴とする。
【００２７】
「コンテンツ属性情報取得部」（０８０７）は、コンテンツ情報取得部（０８０１）にて取得する画像コンテンツ情報の属性情報であるコンテンツ属性情報を取得する機能を有する。「コンテンツ属性情報」とは、具体的には、例えば、画像コンテンツを放送した放送局等を示す情報、画像コンテンツの内容を示す情報、画像コンテンツのジャンル等が想定される。コンテンツ属性情報は、複数の情報から構成されていてもよい。また、コンテンツ属性情報の取得方法は、実施形態１において説明の文字列情報と同様に、コンテンツ属性情報自体を外部又は内部から直接取得する場合、ＥＰＧ等から番組を特定することで画像コンテンツの内容やジャンル等を推定してコンテンツ属性情報を取得する場合等が考えられる。
【００２８】
図９は、コンテンツ属性情報の具体例を示す。図９はコンテンツ属性情報を、図５で例示したコンテンツ関連情報ＤＢに保持されている文字列情報と文字画像領域情報と関連付けて保持した場合の一例である。また、コンテンツ属性情報は、放送局を示す放送局情報、画像コンテンツの内容を示す番組内容情報で構成されている。放送局情報は、放送局を示す放送局番号で示されている。
【００２９】
図１０は、本実施形態に係る文字画像領域情報取得部の具体例を示す。ここでは、文字列情報は文字列の種類であり、文字画像領域情報は領域番号の羅列で表されているとする。また、コンテンツ属性情報は放送局情報と番組内容情報で構成されているとする。また、画像拡大装置は、図９に示すような文字列情報、文字画像領域情報、コンテンツ属性情報を関連付けているコンテンツ関連情報ＤＢを保持しているとする。文字列情報取得部において「スコア」という文字列の種類を表す文字列情報が取得され、コンテンツ属性情報取得部において「放送局情報：８０、番組内容情報：サッカー中継」というコンテンツ属性情報が取得されたとすると、コンテンツ関連情報ＤＢより文字画像領域情報として「００、０１」が取得される。このように、「スコア」という文字列情報が取得された場合、文字列情報だけではサッカー中継におけるスコアであるのか野球中継におけるスコアであるのかが分からないが、さらに番組内容情報が取得されることによって、サッカー中継におけるスコアであることが分かるため、より正確な文字画像領域情報が取得可能である。
【００３０】
（実施形態２：処理の流れ）図１１は、本実施形態に係る画像拡大装置における処理の流れを示すフロー図を例示する。最初に、画像コンテンツ情報を取得する。この処理はコンテンツ情報取得部によって実行される（画像コンテンツ情報取得ステップ  Ｓ１１０１）。次に、文字列情報を取得する。この処理は文字列情報取得部によって実行される。また、この処理は前記画像コンテンツ情報取得ステップ（Ｓ１１０１）よりも先に、又は同時に実行される場合がある（文字列情報取得ステップ  Ｓ１１０２）。次に、コンテンツ属性情報を取得する。この処理はコンテンツ属性情報取得部によって実行される。また、この処理は前記画像コンテンツ情報取得ステップ（Ｓ１１０１）や文字列情報取得ステップ（Ｓ１１０２）よりも先に、又は同時に実行される場合がある（コンテンツ属性情報取得ステップ  Ｓ１１０３）。次に、前記文字列情報取得ステップ（Ｓ１１０２）で取得された文字列情報と、前記コンテンツ属性情報取得ステップ（Ｓ１１０３）で取得されたコンテンツ属性情報とに基づいて文字画像領域情報を取得する。この処理は文字画像領域情報取得部によって実行される（文字画像領域情報取得ステップ  Ｓ１１０４）。次に、前記文字画像領域情報取得ステップ（Ｓ１１０４）にて取得された文字画像領域情報に基づいて、前記画像コンテンツ情報取得ステップ（Ｓ１１０１）にて取得された画像コンテンツ情報の全部又は一部を処理する。この処理は拡大処理部によって実行される（拡大処理ステップ  Ｓ１１０５）。最後に、前記拡大処理ステップ（Ｓ１１０５）における処理により得られた処理済画像コンテンツ情報に基づいて文字画像領域を拡大表示する。この処理は拡大表示部によって実行される（拡大表示ステップ  Ｓ１１０６）。
【００３１】
（実施形態２：効果）本実施形態に係る画像拡大装置は、実施形態１に係る画像拡大装置の機能に加えて、コンテンツ属性情報を取得し、取得したコンテンツ属性情報にも基づいて文字画像領域情報を取得する機能を有する。これにより、より迅速に効果的に文字画像領域情報を取得することが可能である。
（実施形態３）
【００３２】
（実施形態３：概要）本実施形態は、実施形態２に係る画像拡大装置の機能に加え、放送番組の受信により画像コンテンツ情報を取得する機能を有する画像拡大装置に関する。
【００３３】
（実施形態３：構成）本実施形態に係る画像拡大装置の機能ブロックを図１２に例示する。画像拡大装置（１２００）の構成は、実施形態２に係る画像拡大装置の構成に「放送コンテンツ受信手段」（１２０８）と「種類情報取得手段」（１２０９）とを加えた構成となっている。前記放送コンテンツ受信手段（１２０８）はコンテンツ情報取得部（１２０１）に含まれ、前記種類情報取得手段（１２０９）はコンテンツ属性情報取得部（１２０７）に含まれる。
【００３４】
「放送コンテンツ受信手段」（１２０８）は、放送番組の受信により画像コンテンツ情報を取得する機能を有する。即ち、放送コンテンツ受信手段は放送局等の外部から画像コンテンツ情報を取得することを想定している。ただし、直接に放送波を受信せずとも、他の装置を介して間接的に受信するようになっていてもよい。放送の具体例としては、地上波放送、デジタル地上波放送、各種衛星放送、モバイル放送、などであり、さらにインターネット放送であって、有線で受信するもの、無線ＬＡＮなどを利用して受信するもの、ＣＡＴＶ放送などを含んでもよい。さらにまた、万国博覧会や自動車ショーなどのイベント会場などで局所的、短時間に行なわれる構内放送や、会社の屋内で行なわれる社員向け放送、デパートなどの屋内で行なわれる宣伝案内放送、特定者間で行なわれる通信類似の放送などを含んでもよい。
【００３５】
「種類情報取得手段」（１２０９）は、前記放送コンテンツ受信手段（１２０８）にて受信した画像コンテンツ情報の種類を表す情報である種類情報を取得する機能を有する。「種類情報」とは、具体的には、図９における番組内容情報のような情報である。放送によって画像コンテンツ情報が取得される場合には、前述のＥＰＧ（電子番組表）など各種の利用可能な情報があるため、種類情報であるコンテンツ属性情報を取得することが容易となる。つまり、コンテンツ属性情報の情報源としては、前記ＥＰＧのほかに放送番組情報などを専門に取り扱う出版社などのホームページや、インターネットの放送番組関連サイトなどを挙げることができる。また、放送を受信している時間帯によって、朝の番組か、昼の番組か、夜の番組か、深夜の番組か、などの種類情報を判断できるし、放送時間長によって、例えば映画である可能性が高いのか、ニュースである可能性が高いのかなどの推定も可能となる。また、ステレオ放送かモノラル放送かによって、コンテンツの属性がコマーシャルなのかコマーシャルでないのかなどの推定も可能となる。
【００３６】
（実施形態３：処理の流れ）本実施形態に係る画像拡大装置における処理の流れは、実施形態２に係る画像拡大装置における処理の流れと同様である。ただし、前記画像コンテンツ情報取得ステップ（Ｓ１１０１）において画像コンテンツ情報は放送番組の受信により取得し、前記コンテンツ属性情報取得ステップ（Ｓ１１０３）においてコンテンツ属性情報は種類情報であることを特徴とする。
【００３７】
（実施形態３：効果）本実施形態に係る画像拡大装置は、実施形態２に係る画像拡大装置の機能に加えて、放送番組の受信により画像コンテンツ情報を取得し、取得するコンテンツ属性情報は画像コンテンツ情報の種類を表す情報である種類情報を取得する機能を有する。これにより、画像コンテンツ情報を放送局等から放送波等により画像コンテンツ情報を取得することができる。
（実施形態４）
【００３８】
（実施形態４：概要）本実施形態は、実施形態１から３のいずれか一に係る画像拡大装置の機能に加え、拡大処理部での処理において、画像コンテンツ情報の全部又は一部の画像劣化抑制処理を行なう機能を有する画像拡大装置に関する。
【００３９】
（実施形態４：構成）本実施形態に係る画像拡大装置の機能ブロックを図１３に例示する。画像拡大装置（１３００）の構成は、実施形態１から３のいずれか一に係る画像拡大装置の構成に「画像劣化抑制処理手段」（１３１０）を加えた構成となっている。図１３においては、実施形態３において説明の画像拡大装置の構成に前記画像劣化抑制処理手段（１３１０）を加えた構成を例示している。前記画像劣化抑制処理手段（１３１０）は拡大処理部（１３０４）に含まれる。
【００４０】
「画像劣化抑制処理手段」（１３１０）は、画像コンテンツ情報の全部又は一部の画像劣化抑制処理を行なう機能を有する。「画像劣化抑制処理」とは、画像を拡大処理するとシャギーやブロックノイズ等の発生により画像が劣化する場合があるため、これらを抑制するための処理全般を意味する。具体的には、文字画像領域のエッジを強調する画像加工を行なう等を意味する。
【００４１】
（実施形態４：処理の流れ）本実施形態に係る画像拡大装置における処理の流れは、実施形態１から３のいずれか一に係る画像拡大装置における処理の流れと同様である。ただし、前記拡大処理ステップにおいて画像コンテンツ情報の全部又は一部の画像劣化抑制処理を行なうことを特徴とする。
【００４２】
（実施形態４：効果）本実施形態に係る画像拡大装置は、実施形態１から３のいずれか一に係る画像拡大装置の機能に加えて、拡大処理部での処理において、画像コンテンツ情報の全部又は一部の画像劣化抑制処理を行なう機能を有する。これにより、文字画像領域を拡大表示する際に、より質の高い拡大画像を表示することが可能である。
（実施形態５）
【００４３】
（実施形態５：概要）本実施形態は、実施形態１から４のいずれか一に係る画像拡大装置の機能に加え、拡大処理部での処理において、画像コンテンツ情報の全部又は一部の色変更処理を行なう機能を有する画像拡大装置に関する。
【００４４】
（実施形態５：構成）本実施形態に係る画像拡大装置の機能ブロックを図１４に例示する。画像拡大装置（１４００）の構成は、実施形態１から４のいずれか一に係る画像拡大装置の構成に「色変更処理手段」（１４１１）を加えた構成となっている。図１４においては、実施形態４において説明の画像拡大装置の構成に前記色変更処理手段（１４１１）を加えた構成を例示している。前記色変更処理手段（１４１１）は拡大処理部（１４０４）に含まれる。
【００４５】
「色変更処理手段」（１４１１）は、画像コンテンツ情報の全部又は一部の色変更処理を行なう機能を有する。「色変更処理」とは、具体的には、色相、明度、彩度を変更することを意味する。画像拡大装置が自動的に色変更処理を行なうようになっていてもよいし、利用者が自由に色変更処理を行なうことができるように色変更処理のためのユーザインタフェースを備えていてもよい。色変更処理のためのユーザインタフェースは、色相、明度、彩度の変更以外に、ＲＧＢ値を指定することができるようになっていてもよい。このような場合、色変更処理手段は、色変更処理のためのユーザインタフェースから利用者の操作に応じて画像コンテンツ情報の全部又は一部を変更する処理までを含む。色変更処理の具体例としては、例えば、背景と文字列の色を、黄色と黒などの識別しやすい色にする場合等が挙げられる。
【００４６】
（実施形態５：処理の流れ）本実施形態に係る画像拡大装置における処理の流れは、実施形態１から４のいずれか一に係る画像拡大装置における処理の流れと同様である。ただし、前記拡大処理ステップにおいて画像コンテンツ情報の全部又は一部の色変更処理を行なうことを特徴とする。
【００４７】
（実施形態５：効果）本実施形態に係る画像拡大装置は、実施形態１から４のいずれか一に係る画像拡大装置の機能に加えて、拡大処理部での処理において、画像コンテンツ情報の全部又は一部の色変更処理を行なう機能を有する。これにより、文字画像領域を拡大表示する際に、より質の高い拡大画像を表示することが可能である。また、利用者が色変更することができることにより、利用者に興味を抱かせ、画像拡大装置の利用を促進する効果も期待できる。
（実施形態６）
【００４８】
（実施形態６：概要）本実施形態は、実施形態１から５のいずれか一に係る画像拡大装置の機能に加え、拡大処理部での処理において、画像コンテンツ情報の全部又は一部の画像装飾処理を行なう機能を有する画像拡大装置に関する。
【００４９】
（実施形態６：構成）本実施形態に係る画像拡大装置の機能ブロックを図１５に例示する。画像拡大装置（１５００）の構成は、実施形態１から５のいずれか一に係る画像拡大装置の構成に「画像装飾処理手段」（１５１２）を加えた構成となっている。図１５においては、実施形態５において説明の画像拡大装置の構成に前記画像装飾処理手段（１５１２）を加えた構成を例示している。前記画像装飾処理手段（１５１２）は拡大処理部（１５０４）に含まれる。
【００５０】
「画像装飾処理手段」（１５１２）は、画像コンテンツ情報の全部又は一部の画像装飾処理を行なう機能を有する。「画像装飾処理」とは、新たな画像を付加する、元画像から一部の画像を消去する、等によって画像を装飾する処理全般を意味する。画像拡大装置が自動的に画像装飾処理を行なうようになっていてもよいし、利用者が自由に画像装飾処理を行なうことができるように画像装飾処理のためのユーザインタフェースを備えていてもよい。画像装飾処理のためのユーザインタフェースは、例えば、予め装飾するための装飾画像をいくつか画像拡大装置が保持しておき、利用者が装飾画像を選択するようになっている場合等が考えられる。このような場合、画像装飾処理手段は、画像装飾処理のためのユーザインタフェースから利用者の操作に応じて画像コンテンツ情報の全部又は一部を変更する処理までを含む。画像装飾処理の具体例としては、拡大表示される文字画像領域に縁取りとなる装飾を施したり、拡大表示されるべき文字をオリジナル画像のものに代えて、予め準備したフォントを利用したりすることが挙げられる。前者については、拡大された部分とそうでない部分との境界を明確にして利用者に画像を視認しやすくするという効果をもち、後者については、予め用意されているフォントを利用するので、文字種を飾り文字に変えたり、読みやすい文字に変えたりできるという効果を奏する。
【００５１】
（実施形態６：処理の流れ）本実施形態に係る画像拡大装置における処理の流れは、実施形態１から５のいずれか一に係る画像拡大装置における処理の流れと同様である。ただし、前記拡大処理ステップにおいて画像コンテンツ情報の全部又は一部の画像装飾処理を行なうことを特徴とする。
【００５２】
（実施形態６：効果）本実施形態に係る画像拡大装置は、実施形態１から５のいずれか一に係る画像拡大装置の機能に加えて、拡大処理部での処理において、画像コンテンツ情報の全部又は一部の画像装飾処理を行なう機能を有する。これにより、利用者が自身の好みに沿って画像を装飾すること等ができるため、利用者に興味を抱かせ、画像拡大装置の利用を促進する効果も期待できる。
（実施形態７）
【００５３】
（実施形態７：概要）本実施形態は、実施形態１から６のいずれか一に係る画像拡大装置の機能に加え、文字列情報取得部において文字列情報が取得されたかの判断を行ない、判断結果を通知する機能を有する画像拡大装置に関する。
【００５４】
（実施形態７：構成）本実施形態に係る画像拡大装置の機能ブロックを図１６に例示する。画像拡大装置（１６００）の構成は、実施形態１から６のいずれか一に係る画像拡大装置の構成に「文字列情報有無判断部」（１６１３）と「文字列情報有無判断結果通知部」（１６１４）とを加えた構成となっている。図１６においては、実施形態６において説明の画像拡大装置の構成に前記文字列情報有無判断部（１６１３）と前記文字列情報有無判断結果通知部（１６１４）とを加えた構成を例示している。
【００５５】
「文字列情報有無判断部」（１６１３）は、文字列情報取得部（１６０２）にて文字列情報が取得されたかの判断を行なう機能を有する。
【００５６】
「文字列情報有無判断結果通知部」（１６１４）は、前記文字列情報有無判断部（１６１３）での判断結果である文字列情報有無判断結果を通知する機能を有する。即ち、「文字列情報有無判断結果」とは、文字列情報が取得されたか否かを示す情報である。文字列情報が取得されてもされなくとも通知するようになっていてもよいし、文字列情報が取得された場合のみ通知する、又は文字列情報が取得されなかった場合のみ通知するようになっていてもよい。通知先は、主に画像拡大装置の利用者等の外部を想定しているが、画像拡大装置内部の他の処理機構に通知することで、文字列情報有無判断結果が他の処理機構における処理に利用されてもよい。例えば、文字画像領域情報取得部（１６０３）においては、文字列情報が取得されなかった場合に図５に例示したようなコンテンツ関連情報ＤＢにアクセスすることは無駄な処理となるため、文字列情報が取得されなかったという情報は、このような無駄な処理を省くためには有用な情報となる。また、外部へ通知する場合の通知方法は、拡大表示部（１６０５）への表示、音声、振動、発光、等が想定される。また、他の電子機器に対してメールやウエッブページによるアクセス等により通信することで通知してもよい。通信は有線によってもよいし無線によってもよい。無線であれば、例えばＢｌｕｅｔｏｏｔｈ（登録商標）、赤外線などの不可視光線でもよいし、可視光線によってもよい。これらの通知方法は、複数組み合わせて使用されてもよい。例えば、振動しながら表示するようになっていれば、より利用者の注意を引きやすい効果があると思われる。表示によって通知する場合は、拡大表示部（１６０５）に該当するディスプレイ等に表示してもよいが、別途、専用のディスプレイ等を備えていてもよい。音声によって通知する場合は、「文字列情報は取得されませんでした」等の言葉で通知してもよいし、警告音等で通知してもよい。発光によって通知する場合は、予め決められた発光パターンや色によって発光するようになっていてもよい。また、ディスプレイやキー部分等が発光するようになっていてもよいし、別途、ＬＥＤ等による専用の発光部を備えていてもよい。さらに、画像拡大装置の利用者等が、通知するか否かの設定を行なうことができるようになっていてもよい。
【００５７】
図１７は、文字列情報有無判断結果通知部の具体例を示す。図１７では、画像拡大装置が携帯電話である場合を例示している。（ａ）は表示による通知の場合を示す。（ｂ）は音声による通知の場合を示す。（ｃ）は発光による通知の場合を示す。
【００５８】
（実施形態７：処理の流れ）図１８は、本実施形態に係る画像拡大装置における特徴である文字列情報有無判断結果の通知に関する処理の流れを示すフロー図を例示する。最初に、画像コンテンツ情報を取得する。この処理はコンテンツ情報取得部によって実行される。ただし、この処理は文字列情報が画像コンテンツ情報とともに取得されない場合には不要である（画像コンテンツ情報取得ステップ  Ｓ１８０１）。次に、文字列情報を取得する。この処理は文字列情報取得部によって実行される。また、この処理は前記画像コンテンツ情報取得ステップ（Ｓ１８０１）よりも先に、又は同時に実行される場合がある（文字列情報取得ステップ  Ｓ１８０２）。次に、前記文字列情報取得ステップ（Ｓ１８０２）にて文字列情報が取得されたかの判断を行なう。この処理は文字列情報有無判断部によって実行される（文字列情報有無判断ステップ  Ｓ１８０３）。最後に、前記文字列情報有無判断ステップ（Ｓ１８０３）での判断結果である文字列情報有無判断結果を通知する。この処理は文字列情報有無判断結果通知部によって実行される（文字列情報有無判断結果通知ステップ  Ｓ１８０４）。本実施形態に係る画像拡大装置における処理は、上記の処理の他に、実施形態１から６において説明の処理が実行される。
【００５９】
（実施形態７：効果）本実施形態に係る画像拡大装置は、実施形態１から６のいずれか一に係る画像拡大装置の機能に加えて、文字列情報取得部において文字列情報が取得されたかの判断を行ない、判断結果を通知する機能を有する。これにより、画像拡大装置の利用者に注意を促すことが可能である。また、内部の他の処理機構に通知することにより、無駄な処理を省かせることが可能である。
（実施形態８）
【００６０】
（実施形態８：概要）本実施形態は、実施形態１から７のいずれか一に係る画像拡大装置の機能に加え、文字画像領域情報取得部において文字画像領域情報が取得されたかの判断を行ない、判断結果を通知する機能を有する画像拡大装置に関する。
【００６１】
（実施形態８：構成）本実施形態に係る画像拡大装置の機能ブロックを図１９に例示する。画像拡大装置（１９００）の構成は、実施形態１から７のいずれか一に係る画像拡大装置の構成に「文字画像領域情報有無判断部」（１９１５）と「文字画像領域情報有無判断結果通知部」（１９１６）とを加えた構成となっている。図１９においては、実施形態７において説明の画像拡大装置の構成に前記文字画像領域情報有無判断部（１９１５）と前記文字画像領域情報有無判断結果通知部（１９１６）とを加えた構成を例示している。
【００６２】
「文字画像領域情報有無判断部」（１９１５）は、文字画像領域情報取得部（１９０３）にて文字画像領域情報が取得されたかの判断を行なう機能を有する。文字画像領域情報が取得されなかった場合というのは、図５や図９におけるコンテンツ関連情報ＤＢにおいて該当する文字画像領域情報が抽出されなかった場合等が想定される。
【００６３】
「文字画像領域情報有無判断結果通知部」（１９１６）は、前記文字画像領域情報有無判断部（１９１５）での判断結果である文字画像領域情報有無判断結果を通知する機能を有する。即ち、「文字画像領域情報有無判断結果」とは、文字画像領域情報が取得されたか否かを示す情報である。文字画像領域情報が取得されてもされなくとも通知するようになっていてもよいし、文字画像領域情報が取得された場合のみ通知する、又は文字画像領域情報が取得されなかった場合のみ通知するようになっていてもよい。特に、文字列情報有無判断部（１９１３）において文字列情報が取得されたとの判断結果であった場合であって、前記文字画像領域情報有無判断部（１９１５）において文字画像領域情報が取得されなかったとの判断結果であった場合に通知するとより効果的である。なぜならば、通知されることによって、利用者が拡大すべき文字画像領域を指定する等の行為を実行することができるからである。通知先は、主に画像拡大装置の利用者等の外部を想定しているが、画像拡大装置内部の他の処理機構に通知することで、文字画像領域情報有無判断結果が他の処理機構における処理に利用されてもよい。また、外部へ通知する場合の通知方法は、拡大表示部（１９０５）への表示、音声、振動、発光、等が想定される。また、他の電子機器に対してメールやウエッブページによるアクセス等により通信することで通知してもよい。通信は有線によってもよいし無線によってもよい。無線であれば、例えばＢｌｕｅｔｏｏｔｈ（登録商標）、赤外線などの不可視光線でもよいし、可視光線によってもよい。これらの通知方法は、複数組み合わせて使用されてもよい。例えば、振動しながら表示するようになっていれば、より利用者の注意を引きやすい効果があると思われる。表示によって通知する場合は、拡大表示部（１９０５）に該当するディスプレイ等に表示してもよいが、別途、専用のディスプレイ等を備えていてもよい。音声によって通知する場合は、「文字画像領域情報は取得されませんでした」等の言葉で通知してもよいし、警告音等で通知してもよい。発光によって通知する場合は、予め決められた発光パターンや色によって発光するようになっていてもよい。また、ディスプレイやキー部分等が発光するようになっていてもよいし、別途、ＬＥＤ等による専用の発光部を備えていてもよい。さらに、画像拡大装置の利用者等が、通知するか否かの設定を行なうことができるようになっていてもよい。
【００６４】
（実施形態８：処理の流れ）図２０は、本実施形態に係る画像拡大装置における特徴である文字画像領域情報有無判断結果の通知に関する処理の流れを示すフロー図を例示する。（ａ）は常に文字画像領域情報有無判断結果を通知する場合の処理の流れを示し、（ｂ）は文字列情報が取得され、かつ文字画像領域情報が取得されなかった場合に通知を行なう場合の処理の流れを示す。
【００６５】
（ａ）の場合について説明する。最初に、画像コンテンツ情報を取得する。この処理はコンテンツ情報取得部によって実行される（画像コンテンツ情報取得ステップ  Ｓ２００１ａ）。次に、文字列情報を取得する。この処理は文字列情報取得部によって実行される。また、この処理は前記画像コンテンツ情報取得ステップ（Ｓ２００１ａ）よりも先に、又は同時に実行される場合がある（文字列情報取得ステップ  Ｓ２００２ａ）。次に、コンテンツ属性情報を取得する。この処理はコンテンツ属性情報取得部によって実行される。また、この処理は前記画像コンテンツ情報取得ステップ（Ｓ２００１ａ）や文字列情報取得ステップ（Ｓ２００２ａ）よりも先に、又は同時に実行される場合がある（コンテンツ属性情報取得ステップ  Ｓ２００３ａ）。次に、前記文字列情報取得ステップ（Ｓ２００２ａ）で取得された文字列情報と、前記コンテンツ属性情報取得ステップ（Ｓ２００３ａ）で取得されたコンテンツ属性情報とに基づいて文字画像領域情報を取得する。この処理は文字画像領域情報取得部によって実行される（文字画像領域情報取得ステップ  Ｓ２００４ａ）。次に、前記文字画像領域情報取得ステップ（Ｓ２００４ａ）にて文字画像領域情報が取得されたかの判断を行なう。この処理は文字画像領域情報有無判断部によって実行される（文字画像領域情報有無判断ステップ  Ｓ２００５ａ）。最後に、前記文字画像領域情報有無判断ステップ（Ｓ２００５ａ）での判断結果である文字画像領域情報有無判断結果を通知する。この処理は文字画像領域情報有無判断結果通知部によって実行される（文字画像領域情報有無判断結果通知ステップ  Ｓ２００６ａ）。
【００６６】
（ｂ）の場合について説明する。最初に、画像コンテンツ情報を取得する。この処理はコンテンツ情報取得部によって実行される（画像コンテンツ情報取得ステップ  Ｓ２００１ｂ）。次に、文字列情報を取得する。この処理は文字列情報取得部によって実行される。また、この処理は前記画像コンテンツ情報取得ステップ（Ｓ２００１ｂ）よりも先に、又は同時に実行される場合がある（文字列情報取得ステップ  Ｓ２００２ｂ）。次に、コンテンツ属性情報を取得する。この処理はコンテンツ属性情報取得部によって実行される。また、この処理は前記画像コンテンツ情報取得ステップ（Ｓ２００１ｂ）や文字列情報取得ステップ（Ｓ２００２ｂ）よりも先に、又は同時に実行される場合がある（コンテンツ属性情報取得ステップ  Ｓ２００３ｂ）。次に、前記文字列情報取得ステップ（Ｓ２００２ｂ）にて文字列情報が取得されたかの判断を行なう。この処理は文字列情報有無判断部によって実行される。ここでの判断結果が、文字列情報が取得されたとの判断結果であった場合には、後述の文字画像領域情報取得ステップ（Ｓ２００５ｂ）に移行する。文字列情報が取得されなかったとの判断結果であった場合には、処理を終了する（文字列情報有無判断ステップ  Ｓ２００４ｂ）。次に、前記文字列情報有無判断ステップ（Ｓ２００４ｂ）での判断結果が、文字列情報が取得されたとの判断結果であった場合には、前記文字列情報取得ステップ（Ｓ２００２ｂ）で取得された文字列情報と、前記コンテンツ属性情報取得ステップ（Ｓ２００３ｂ）で取得されたコンテンツ属性情報とに基づいて文字画像領域情報を取得する。この処理は文字画像領域情報取得部によって実行される（文字画像領域情報取得ステップ  Ｓ２００５ｂ）。次に、前記文字画像領域情報取得ステップ（Ｓ２００５ｂ）にて文字画像領域情報が取得されたかの判断を行なう。この処理は文字画像領域情報有無判断部によって実行される。ここでの判断結果が、文字画像領域情報が取得されなかったとの判断結果であった場合には、後述の文字画像領域情報有無判断結果通知ステップ（Ｓ２００７ｂ）に移行する。文字画像領域情報が取得されたとの判断結果であった場合には、処理を終了する（文字画像領域情報有無判断ステップ  Ｓ２００６ｂ）。最後に、前記文字画像領域情報有無判断ステップ（Ｓ２００６ｂ）での判断結果が、文字画像領域情報が取得されなかったとの判断結果であった場合には、文字画像領域情報有無判断結果を通知する。この処理は文字画像領域情報有無判断結果通知部によって実行される（文字画像領域情報有無判断結果通知ステップ  Ｓ２００７ｂ）。
【００６７】
また、本実施形態に係る画像拡大装置における処理は、上記の処理の他に、実施形態１から７において説明の処理が実行される。
【００６８】
（実施形態８：効果）本実施形態に係る画像拡大装置は、実施形態１から７のいずれか一に係る画像拡大装置の機能に加えて、文字画像領域情報取得部において文字画像領域情報が取得されたかの判断を行ない、判断結果を通知する機能を有する。これにより、画像拡大装置の利用者に注意を促すことが可能である。また、内部の他の処理機構に通知すること等が可能である。
（実施形態９）
【００６９】
（実施形態９：概要）本実施形態は、実施形態２から８のいずれか一に係る画像拡大装置の機能に加え、コンテンツ属性情報取得部においてコンテンツ属性情報が取得されたかの判断を行ない、判断結果を通知する機能を有する画像拡大装置に関する。
【００７０】
（実施形態９：構成）本実施形態に係る画像拡大装置の機能ブロックを図２１に例示する。画像拡大装置（２１００）の構成は、実施形態２から８のいずれか一に係る画像拡大装置の構成に「コンテンツ属性情報有無判断部」（２１１７）と「コンテンツ属性情報有無判断結果通知部」（２１１８）とを加えた構成となっている。図２１においては、実施形態８において説明の画像拡大装置の構成に前記コンテンツ属性情報有無判断部（２１１７）と前記コンテンツ属性情報有無判断結果通知部（２１１８）とを加えた構成を例示している。
【００７１】
「コンテンツ属性情報有無判断部」（２１１７）は、コンテンツ属性情報取得部（２１０７）にてコンテンツ属性情報が取得されたかの判断を行なう機能を有する。
【００７２】
「コンテンツ属性情報有無判断結果通知部」（２１１８）は、前記コンテンツ属性情報有無判断部（２１１７）での判断結果であるコンテンツ属性情報有無判断結果を通知する機能を有する。即ち、「コンテンツ属性情報有無判断結果」とは、コンテンツ属性情報が取得されたか否かを示す情報である。コンテンツ属性情報が取得されてもされなくとも通知するようになっていてもよいし、コンテンツ属性情報が取得された場合のみ通知する、又はコンテンツ属性情報が取得されなかった場合のみ通知するようになっていてもよい。通知先は、主に画像拡大装置の利用者等の外部を想定しているが、画像拡大装置内部の他の処理機構に通知することで、コンテンツ属性情報有無判断結果が他の処理機構における処理に利用されてもよい。また、外部へ通知する場合の通知方法は、拡大表示部（２１０５）への表示、音声、振動、発光、等が想定される。また、他の電子機器に対してメールやウエッブページによるアクセス等により通信することで通知してもよい。通信は有線によってもよいし無線によってもよい。無線であれば、例えばＢｌｕｅｔｏｏｔｈ（登録商標）、赤外線などの不可視光線でもよいし、可視光線によってもよい。これらの通知方法は、複数組み合わせて使用されてもよい。例えば、振動しながら表示するようになっていれば、より利用者の注意を引きやすい効果があると思われる。表示によって通知する場合は、拡大表示部（２１０５）に該当するディスプレイ等に表示してもよいが、別途、専用のディスプレイ等を備えていてもよい。音声によって通知する場合は、「コンテンツ属性情報は取得されませんでした」等の言葉で通知してもよいし、警告音等で通知してもよい。発光によって通知する場合は、予め決められた発光パターンや色によって発光するようになっていてもよい。また、ディスプレイやキー部分等が発光するようになっていてもよいし、別途、ＬＥＤ等による専用の発光部を備えていてもよい。さらに、画像拡大装置の利用者等が、通知するか否かの設定を行なうことができるようになっていてもよい。
【００７３】
（実施形態９：処理の流れ）図２２は、本実施形態に係る画像拡大装置における特徴であるコンテンツ属性情報有無判断結果の通知に関する処理の流れを示すフロー図を例示する。最初に、画像コンテンツ情報を取得する。この処理はコンテンツ情報取得部によって実行される。ただし、この処理はコンテンツ属性情報が画像コンテンツ情報とともに取得されない場合には不要である（画像コンテンツ情報取得ステップ  Ｓ２２０１）。次に、コンテンツ属性情報を取得する。この処理はコンテンツ属性情報取得部によって実行される。また、この処理は前記画像コンテンツ情報取得ステップ（Ｓ２２０１）よりも先に、又は同時に実行される場合がある（コンテンツ属性情報取得ステップ  Ｓ２２０２）。次に、前記コンテンツ属性情報取得ステップ（Ｓ２２０２）にてコンテンツ属性情報が取得されたかの判断を行なう。この処理はコンテンツ属性情報有無判断部によって実行される（コンテンツ属性情報有無判断ステップ  Ｓ２２０３）。最後に、前記コンテンツ属性情報有無判断ステップ（Ｓ２２０３）での判断結果であるコンテンツ属性情報有無判断結果を通知する。この処理はコンテンツ属性情報有無判断結果通知部によって実行される（コンテンツ属性情報有無判断結果通知ステップ  Ｓ２２０４）。本実施形態に係る画像拡大装置における処理は、上記の処理の他に、実施形態２から８において説明の処理が実行される。
【００７４】
（実施形態９：効果）本実施形態に係る画像拡大装置は、実施形態２から８のいずれか一に係る画像拡大装置の機能に加えて、コンテンツ属性情報取得部においてコンテンツ属性情報が取得されたかの判断を行ない、判断結果を通知する機能を有する。これにより、画像拡大装置の利用者に注意を促すことが可能である。また、内部の他の処理機構に通知すること等が可能である。
（実施形態１０）
【００７５】
（実施形態１０：概要）本実施形態は、実施形態１から９のいずれか一に係る画像拡大装置の機能に加え、文字画像領域変化情報を取得し、取得した文字画像領域変化情報を通知する機能を有する画像拡大装置に関する。
【００７６】
（実施形態１０：構成）本実施形態に係る画像拡大装置の機能ブロックを図２３に例示する。画像拡大装置（２３００）の構成は、実施形態１から９のいずれか一に係る画像拡大装置の構成に「文字画像領域変化情報取得部」（２３１９）と「文字画像領域変化情報通知部」（２３２０）とを加えた構成となっている。図２３においては、実施形態９において説明の画像拡大装置の構成に前記文字画像領域変化情報取得部（２３１９）と前記文字画像領域変化情報通知部（２３２０）とを加えた構成を例示している。
【００７７】
「文字画像領域変化情報取得部」（２３１９）は、文字画像領域の一の領域から他の領域への変化を示す文字画像領域変化情報を取得する機能を有する。「文字画像領域の一の領域から他の領域への変化」とは、文字画像領域情報が変化したことと同義である。例えば、図２４に示すように、野球中継では、（ａ）の通常プレー中においてスコアはほぼ同じ位置に表示されるが（図２４では画像左下）、どちらかのチームに点が入った場合には（ｂ）のように一時的に画像中央に大きく表示される場合がある。このような場合が、文字画像領域が一の領域から他の領域へ変化した場合に該当する。また、「文字画像領域変化情報」とは、具体的には、主に文字画像領域が一の領域から他の領域へ変化した旨を示す情報であることを想定しているが、他の情報を含んでいてもよい。例えば、変化する前の文字画像領域情報と変化した後の文字画像領域情報など、より詳しい情報を含んでいてもよい。即ち、文字画像領域変化情報は、文字画像領域情報取得部（２３０３）において取得される文字画像領域情報が変化したことに基づいて取得されることが想定される。
【００７８】
「文字画像領域変化情報通知部」（２３２０）は、前記文字画像領域変化情報取得部（２３１９）が文字画像領域変化情報を取得した場合には、前記文字画像領域変化情報を通知する機能を有する。即ち、文字画像領域変化情報通知部は、前記文字画像領域変化情報取得部（２３１９）において文字画像領域変化情報が取得されたことをトリガーとして機能する。通知先は、主に画像拡大装置の利用者等の外部を想定しているが、画像拡大装置内部の他の処理機構に通知することで、文字画像領域変化情報が他の処理機構における処理に利用されてもよい。また、外部へ通知する場合の通知方法は、拡大表示部（２３０５）への表示、音声、振動、発光、等が想定される。また、他の電子機器に対してメールやウエッブページによるアクセス等により通信することで通知してもよい。通信は有線によってもよいし無線によってもよい。無線であれば、例えばＢｌｕｅｔｏｏｔｈ（登録商標）、赤外線などの不可視光線でもよいし、可視光線によってもよい。これらの通知方法は、複数組み合わせて使用されてもよい。例えば、振動しながら表示するようになっていれば、より利用者の注意を引きやすい効果があると思われる。表示によって通知する場合は、拡大表示部（２３０５）に該当するディスプレイ等に表示してもよいが、別途、専用のディスプレイ等を備えていてもよい。音声によって通知する場合は、「文字画像領域が変化しました」等の言葉で通知してもよいし、警告音等で通知してもよい。発光によって通知する場合は、予め決められた発光パターンや色によって発光するようになっていてもよい。また、ディスプレイやキー部分等が発光するようになっていてもよいし、別途、ＬＥＤ等による専用の発光部を備えていてもよい。さらに、画像拡大装置の利用者等が、通知するか否かの設定を行なうことができるようになっていてもよい。例えば、図２４の具体例の場合であれば、スコアの変化が気になる利用者は文字画像領域変化情報が通知されるように設定しておけば、スコアが変化した際に画像拡大装置から通知され、スコアが変化する場面を見逃さずに済む等のメリットがある。
【００７９】
（実施形態１０：処理の流れ）図２５は、本実施形態に係る画像拡大装置における特徴である文字画像領域変化情報の通知に関する処理の流れを示すフロー図を例示する。最初に、文字画像領域変化情報を取得する。この処理は文字画像領域変化情報取得部によって実行される（文字画像領域変化情報取得ステップ  Ｓ２５０１）。次に、前記文字画像領域変化情報取得ステップ（Ｓ２５０１）にて取得された文字画像領域変化情報を通知する。この処理は文字画像領域変化情報通知部によって実行される（文字画像領域変化情報通知ステップ  Ｓ２５０２）。本実施形態に係る画像拡大装置における処理は、上記の処理の他に、実施形態１から９において説明の処理が実行される。
【００８０】
（実施形態１０：効果）本実施形態に係る画像拡大装置は、実施形態１から９のいずれか一に係る画像拡大装置の機能に加えて、文字画像領域変化情報を取得し、取得した文字画像領域変化情報を通知する機能を有する。これにより、文字画像領域が一の領域から他の領域へ変化した際に、画像拡大装置の利用者に注意を促すことが可能である。また、内部の他の処理機構に通知すること等が可能である。
（実施形態１１）
【００８１】
（実施形態１１：概要）本実施形態は、実施形態１から１０のいずれか一に係る画像拡大装置の機能に加え、文字列情報変化情報を取得し、取得した文字列情報変化情報を通知する機能を有する画像拡大装置に関する。
【００８２】
（実施形態１１：構成）本実施形態に係る画像拡大装置の機能ブロックを図２６に例示する。画像拡大装置（２６００）の構成は、実施形態１から１０のいずれか一に係る画像拡大装置の構成に「文字列情報変化情報取得部」（２６２１）と「文字列情報変化情報通知部」（２６２２）とを加えた構成となっている。図２６においては、実施形態１０において説明の画像拡大装置の構成に前記文字列情報変化情報取得部（２６２１）と前記文字列情報変化情報通知部（２６２２）とを加えた構成を例示している。
【００８３】
「文字列情報変化情報取得部」（２６２１）は、文字列情報が変化した際の変化に関する情報である文字列情報変化情報を取得する機能を有する。「文字列情報が変化した」とは、具体的には、文字列中に含まれる文字のうち一以上の文字が変化した場合、文字列を識別するための識別子が変化した場合、文字列の種類が変化した場合、文字列のフォーマットが変化した場合、等を意味する。例えば、図２７に示すように、映画の字幕において、（ａ）のシーンで「こんにちは」という字幕が出ており、次の（ｂ）のシーンで「ありがとう」という字幕が出ているとすると、文字画像領域の位置は変わらないが文字列が変化する場合がある。このような場合が、文字列情報の変化に該当する。また、「文字列情報変化情報」とは、具体的には、主に文字列情報が変化した旨を示す情報であることを想定しているが、他の情報を含んでいてもよい。例えば、変化する前の文字列情報と変化した後の文字列情報など、より詳しい情報を含んでいてもよい。即ち、文字列情報変化情報は、文字列情報取得部（２６０２）において取得される文字列情報が変化したことに基づいて取得されることが想定される。
【００８４】
「文字列情報変化情報通知部」（２６２２）は、前記文字列情報変化情報取得部（２６２１）が文字列情報変化情報を取得した場合には、前記文字列情報変化情報を通知する機能を有する。即ち、文字列情報変化情報通知部は、前記文字列情報変化情報取得部（２６２１）において文字列情報変化情報が取得されたことをトリガーとして機能する。通知先は、主に画像拡大装置の利用者等の外部を想定しているが、画像拡大装置内部の他の処理機構に通知することで、文字列情報変化情報が他の処理機構における処理に利用されてもよい。また、外部へ通知する場合の通知方法は、拡大表示部（２６０５）への表示、音声、振動、発光、等が想定される。また、他の電子機器に対してメールやウエッブページによるアクセス等により通信することで通知してもよい。通信は有線によってもよいし無線によってもよい。無線であれば、例えばＢｌｕｅｔｏｏｔｈ（登録商標）、赤外線などの不可視光線でもよいし、可視光線によってもよい。これらの通知方法は、複数組み合わせて使用されてもよい。例えば、振動しながら表示するようになっていれば、より利用者の注意を引きやすい効果があると思われる。表示によって通知する場合は、拡大表示部（２６０５）に該当するディスプレイ等に表示してもよいが、別途、専用のディスプレイ等を備えていてもよい。音声によって通知する場合は、「文字列情報が変化しました」等の言葉で通知してもよいし、警告音等で通知してもよい。発光によって通知する場合は、予め決められた発光パターンや色によって発光するようになっていてもよい。また、ディスプレイやキー部分等が発光するようになっていてもよいし、別途、ＬＥＤ等による専用の発光部を備えていてもよい。さらに、画像拡大装置の利用者等が、通知するか否かの設定を行なうことができるようになっていてもよい。さらに、利用者が特定の文字列や特定のフォーマットによって文字列が表示されたことを知りたい場合等、即ち、特定の文字列情報に変化したことを知りたい場合には、通知すべき文字列情報の指定をすることができるようになっていると、より便利である。例えば、料理番組において料理の材料が表示される際には、「大さじ」、「小さじ」、「杯」、「カップ」等の文字列が表示される可能性が高く、さらに「Ｎ杯（Ｎは分数又は整数）」、「Ｎカップ（Ｎは分数又は整数）」というフォーマットで表示される可能性が高いため、このような文字列情報を指定することができれば、料理の材料が表示される場面を見逃さずに済む等のメリットがある。
【００８５】
（実施形態１１：処理の流れ）図２８は、本実施形態に係る画像拡大装置における特徴である文字列情報変化情報の通知に関する処理の流れを示すフロー図を例示する。最初に、文字列情報変化情報を取得する。この処理は文字列情報変化情報取得部によって実行される（文字列情報変化情報取得ステップ  Ｓ２８０１）。次に、前記文字列情報変化情報取得ステップ（Ｓ２８０１）にて取得された文字列情報変化情報を通知する。この処理は文字列情報変化情報通知部によって実行される（文字列情報変化情報通知ステップ  Ｓ２８０２）。本実施形態に係る画像拡大装置における処理は、上記の処理の他に、実施形態１から１０において説明の処理が実行される。
【００８６】
（実施形態１１：効果）本実施形態に係る画像拡大装置は、実施形態１から１０のいずれか一に係る画像拡大装置の機能に加えて、文字列情報変化情報を取得し、取得した文字列情報変化情報を通知する機能を有する。これにより、文字列情報が変化した際に、画像拡大装置の利用者に注意を促すことが可能である。また、内部の他の処理機構に通知すること等が可能である。
（実施形態１２）
【００８７】
（実施形態１２：概要）本実施形態は、実施形態１から１１のいずれか一に係る画像拡大装置の機能に加え、コンテンツ属性情報変化情報を取得し、取得したコンテンツ属性情報変化情報を通知する機能を有する画像拡大装置に関する。
【００８８】
（実施形態１２：構成）本実施形態に係る画像拡大装置の機能ブロックを図２９に例示する。画像拡大装置（２９００）の構成は、実施形態１から１１のいずれか一に係る画像拡大装置の構成に「コンテンツ属性情報変化情報取得部」（２９２３）と「コンテンツ属性情報変化情報通知部」（２９２４）とを加えた構成となっている。図２９においては、実施形態１１において説明の画像拡大装置の構成に前記コンテンツ属性情報変化情報取得部（２９２３）と前記コンテンツ属性情報変化情報通知部（２９２４）とを加えた構成を例示している。
【００８９】
「コンテンツ属性情報変化情報取得部」（２９２３）は、コンテンツ属性情報が変化した際の変化に関する情報であるコンテンツ属性情報変化情報を取得する機能を有する。「コンテンツ属性情報が変化した」とは、コンテンツ属性情報が複数の情報により構成されている場合には、いずれかの情報が変化した場合を意味してもよいし、すべての情報が変化した場合のみを意味してもよい。また、「コンテンツ属性情報変化情報」とは、具体的には、主にコンテンツ属性情報が変化した旨を示す情報であることを想定しているが、他の情報を含んでいてもよい。例えば、変化する前のコンテンツ属性情報と変化した後のコンテンツ属性情報など、より詳しい情報を含んでいてもよい。即ち、コンテンツ属性情報変化情報は、コンテンツ属性情報取得部（２９０７）において取得されるコンテンツ属性情報が変化したことに基づいて取得されることが想定される。
【００９０】
「コンテンツ属性情報変化情報通知部」（２９２４）は、前記コンテンツ属性情報変化情報取得部（２９２３）がコンテンツ属性情報変化情報を取得した場合には、前記コンテンツ属性情報変化情報を通知する機能を有する。即ち、コンテンツ属性情報変化情報通知部は、前記コンテンツ属性情報変化情報取得部（２９２４）においてコンテンツ属性情報変化情報が取得されたことをトリガーとして機能する。通知先は、主に画像拡大装置の利用者等の外部を想定しているが、画像拡大装置内部の他の処理機構に通知することで、コンテンツ属性情報変化情報が他の処理機構における処理に利用されてもよい。また、外部へ通知する場合の通知方法は、拡大表示部（２９０５）への表示、音声、振動、発光、等が想定される。また、他の電子機器に対してメールやウエッブページによるアクセス等により通信することで通知してもよい。通信は有線によってもよいし無線によってもよい。無線であれば、例えばＢｌｕｅｔｏｏｔｈ（登録商標）、赤外線などの不可視光線でもよいし、可視光線によってもよい。これらの通知方法は、複数組み合わせて使用されてもよい。例えば、振動しながら表示するようになっていれば、より利用者の注意を引きやすい効果があると思われる。表示によって通知する場合は、拡大表示部（２９０５）に該当するディスプレイ等に表示してもよいが、別途、専用のディスプレイ等を備えていてもよい。音声によって通知する場合は、「コンテンツ属性情報が変化しました」、「番組内容が変わりました」等の言葉で通知してもよいし、警告音等で通知してもよい。発光によって通知する場合は、予め決められた発光パターンや色によって発光するようになっていてもよい。また、ディスプレイやキー部分等が発光するようになっていてもよいし、別途、ＬＥＤ等による専用の発光部を備えていてもよい。さらに、画像拡大装置の利用者等が、通知するか否かの設定を行なうことができるようになっていてもよい。さらに、利用者が画像コンテンツ情報により構成される画像が特定の番組内容になったことを知りたい場合等は、通知すべきコンテンツ属性情報の指定をすることができるようになっていると、より便利である。例えば、野球中継が始まったことを通知してほしい場合には、「番組内容情報＝野球中継」等と指定することができれば、視聴したい番組を見逃さずに済む等のメリットがある。
【００９１】
（実施形態１２：処理の流れ）図３０は、本実施形態に係る画像拡大装置における特徴であるコンテンツ属性情報変化情報の通知に関する処理の流れを示すフロー図を例示する。最初に、コンテンツ属性情報変化情報を取得する。この処理はコンテンツ属性情報変化情報取得部によって実行される（コンテンツ属性情報変化情報取得ステップ  Ｓ３００１）。次に、前記コンテンツ属性情報変化情報取得ステップ（Ｓ３００１）にて取得されたコンテンツ属性情報変化情報を通知する。この処理はコンテンツ属性情報変化情報通知部によって実行される（コンテンツ属性情報変化情報通知ステップ  Ｓ３００２）。本実施形態に係る画像拡大装置における処理は、上記の処理の他に、実施形態１から１１において説明の処理が実行される。
【００９２】
（実施形態１２：効果）本実施形態に係る画像拡大装置は、実施形態１から１１のいずれか一に係る画像拡大装置の機能に加えて、コンテンツ属性情報変化情報を取得し、取得したコンテンツ属性情報変化情報を通知する機能を有する。これにより、コンテンツ属性情報が変化した際に、画像拡大装置の利用者に注意を促すことが可能である。例えば、番組内容が変わったこと等を利用者に知らせることが可能であり、便利である。また、内部の他の処理機構に通知すること等が可能である。
（実施形態１３）
【００９３】
（実施形態１３：概要）本実施形態は、実施形態１から１２のいずれか一に係る画像拡大装置の機能に加え、処理済画像コンテンツ情報を保持する機能を有する画像拡大装置に関する。
【００９４】
（実施形態１３：構成）本実施形態に係る画像拡大装置の機能ブロックを図３１に例示する。画像拡大装置（３１００）の構成は、実施形態１から１２のいずれか一に係る画像拡大装置の構成に「処理済画像コンテンツ情報保持部」（３１２５）を加えた構成となっている。図３１においては、実施形態１２において説明の画像拡大装置の構成に前記処理済画像コンテンツ情報保持部（３１２５）を加えた構成を例示している。
【００９５】
「処理済画像コンテンツ情報保持部」（３１２５）は、処理済画像コンテンツ情報を保持する機能を有する。処理済画像コンテンツ情報は、主に拡大処理部（３１０４）より取得すると想定される。取得するタイミングは、拡大処理部における処理が実行されたら自動的に保持される、画像拡大装置の利用者から指定されることにより保持する、等となっていてもよい。また、処理済画像コンテンツ情報と他の情報を関連付けて保持していてもよい。例えば、拡大処理部（３１０４）にて取得される文字画像領域情報も処理済画像コンテンツ情報とともに取得して保持してもよい。処理済画像コンテンツ情報保持部の具体例としては、画像拡大装置の電源が切れても処理済画像コンテンツ情報を保持している必要があると思われるため、ＨＤＤ等の磁気記憶装置やフラッシュメモリ等の不揮発性メモリが想定される。
【００９６】
（実施形態１３：処理の流れ）図３２は、本実施形態に係る画像拡大装置における特徴である処理済画像コンテンツ情報の保持に関する処理の流れを示すフロー図を例示する。最初に、画像コンテンツ情報を取得する。この処理はコンテンツ情報取得部によって実行される（画像コンテンツ情報取得ステップ  Ｓ３２０１）。次に、文字列情報を取得する。この処理は文字列情報取得部によって実行される。また、この処理は前記画像コンテンツ情報取得ステップ（Ｓ３２０１）よりも先に、又は同時に実行される場合がある（文字列情報取得ステップ  Ｓ３２０２）。次に、コンテンツ属性情報を取得する。この処理はコンテンツ属性情報取得部によって実行される。また、この処理は前記画像コンテンツ情報取得ステップ（Ｓ３２０１）や文字列情報取得ステップ（Ｓ３２０２）よりも先に、又は同時に実行される場合がある（コンテンツ属性情報取得ステップ  Ｓ３２０３）。次に、前記文字列情報取得ステップ（Ｓ３２０２）で取得された文字列情報と、前記コンテンツ属性情報取得ステップ（Ｓ３２０３）で取得されたコンテンツ属性情報とに基づいて文字画像領域情報を取得する。この処理は文字画像領域情報取得部によって実行される（文字画像領域情報取得ステップ  Ｓ３２０４）。次に、前記文字画像領域情報取得ステップ（Ｓ３２０４）にて取得された文字画像領域情報に基づいて、前記画像コンテンツ情報取得ステップ（Ｓ３２０１）にて取得された画像コンテンツ情報の全部又は一部を処理する。この処理は拡大処理部によって実行される（拡大処理ステップ  Ｓ３２０５）。最後に、前記拡大処理ステップ（Ｓ３２０５）における処理により得られた処理済画像コンテンツ情報を保持する。この処理は処理済画像コンテンツ情報保持部によって実行される（処理済画像コンテンツ情報保持ステップ  Ｓ３２０６）。本実施形態に係る画像拡大装置における処理は、上記の処理の他に、実施形態１から１２において説明の処理が実行される。
【００９７】
（実施形態１３：効果）本実施形態に係る画像拡大装置は、実施形態１から１２のいずれか一に係る画像拡大装置の機能に加えて、処理済画像コンテンツ情報を保持する機能を有する。これにより、処理済画像コンテンツ情報が構成する画像を呼び出して表示したり、可搬型メモリ等によって保持することで、別の電子機器でも処理済画像コンテンツ情報が構成する画像を表示したり編集することが可能である。例えば、野球中継においてスコアが変動した際の処理済画像コンテンツ情報を呼び出して表示することで、スコアが変化した際の経緯を辿って見たり、料理番組における材料名などを残しておくこと等ができるので便利である。
（実施形態１４）
【００９８】
（実施形態１４：概要）本実施形態は、実施形態１３に係る画像拡大装置の機能に加え、処理済画像コンテンツ情報を送信する機能を有する画像拡大装置に関する。
【００９９】
（実施形態１４：構成）本実施形態に係る画像拡大装置の機能ブロックを図３３に例示する。画像拡大装置（３３００）の構成は、実施形態１３に係る画像拡大装置の構成に「処理済画像コンテンツ情報送信部」（３３２６）を加えた構成となっている。
【０１００】
「処理済画像コンテンツ情報送信部」（３３２６）は、処理済画像コンテンツ情報保持部（３３２５）で保持されている処理済画像コンテンツ情報を送信する機能を有する。送信するタイミングは、前記処理済画像コンテンツ情報保持部（３３２５）において処理済画像コンテンツ情報が取得されたことをトリガーとする場合、画像拡大装置の利用者がユーザインタフェースを介して送信処理を行なわせることができるようになっている場合等が想定される。また、前記処理済画像コンテンツ情報保持部（３３２５）において処理済画像コンテンツ情報が他の情報と関連付けられて保持されている場合には、関連付けられている情報も処理済画像コンテンツ情報とともに送信するようになっていてもよい。送信先は、主に外部の電子機器等を想定している。外部への通信は有線によってもよいし無線によってもよい。無線であれば、例えばＢｌｕｅｔｏｏｔｈ（登録商標）、赤外線などの不可視光線でもよいし、可視光線によってもよい。
【０１０１】
（実施形態１４：処理の流れ）図３４は、本実施形態に係る画像拡大装置における特徴である処理済画像コンテンツ情報の保持に関する処理の流れを示すフロー図を例示する。最初に、画像コンテンツ情報を取得する。この処理はコンテンツ情報取得部によって実行される（画像コンテンツ情報取得ステップ  Ｓ３４０１）。次に、文字列情報を取得する。この処理は文字列情報取得部によって実行される。また、この処理は前記画像コンテンツ情報取得ステップ（Ｓ３４０１）よりも先に、又は同時に実行される場合がある（文字列情報取得ステップ  Ｓ３４０２）。次に、コンテンツ属性情報を取得する。この処理はコンテンツ属性情報取得部によって実行される。また、この処理は前記画像コンテンツ情報取得ステップ（Ｓ３４０１）や文字列情報取得ステップ（Ｓ３４０２）よりも先に、又は同時に実行される場合がある（コンテンツ属性情報取得ステップ  Ｓ３４０３）。次に、前記文字列情報取得ステップ（Ｓ３４０２）で取得された文字列情報と、前記コンテンツ属性情報取得ステップ（Ｓ３４０３）で取得されたコンテンツ属性情報とに基づいて文字画像領域情報を取得する。この処理は文字画像領域情報取得部によって実行される（文字画像領域情報取得ステップ  Ｓ３４０４）。次に、前記文字画像領域情報取得ステップ（Ｓ３４０４）にて取得された文字画像領域情報に基づいて、前記画像コンテンツ情報取得ステップ（Ｓ３４０１）にて取得された画像コンテンツ情報の全部又は一部を処理する。この処理は拡大処理部によって実行される（拡大処理ステップ  Ｓ３４０５）。次に、前記拡大処理ステップ（Ｓ３４０５）における処理により得られた処理済画像コンテンツ情報を保持する。この処理は処理済画像コンテンツ情報保持部によって実行される（処理済画像コンテンツ情報保持ステップ  Ｓ３４０６）。最後に、前記処理済画像コンテンツ情報保持ステップ（Ｓ３４０６）にて保持されている処理済画像コンテンツ情報を送信する。この処理は処理済画像コンテンツ情報送信部によって実行される（処理済画像コンテンツ情報送信ステップ  Ｓ３４０７）。本実施形態に係る画像拡大装置における処理は、上記の処理の他に、実施形態１から１２において説明の処理が実行される。
【０１０２】
（実施形態１４：効果）本実施形態に係る画像拡大装置は、実施形態１３に係る画像拡大装置の機能に加えて、処理済画像コンテンツ情報を送信する機能を有する。これにより、処理済画像コンテンツ情報が構成する画像を別の電子機器で表示したり編集したりすることが可能である。
（実施形態１５）
【０１０３】
（実施形態１５：概要）本実施形態は、実施形態１から１４のいずれか一に係る画像拡大装置の機能に加え、制御部は制御情報により制御を実行することを特徴とし、制御情報を複数保持する機能を有し、保持している制御情報を制御部として機能させることが可能な画像拡大装置に関する。
【０１０４】
（実施形態１５：構成）本実施形態に係る画像拡大装置の機能ブロックを図３５に例示する。画像拡大装置（３５００）の構成は、実施形態１から１４のいずれか一に係る画像拡大装置の構成に「制御情報保持部」（３５２７）と「選択部」（３５２８）とを加えた構成となっている。図３５においては、実施形態１４において説明の画像拡大装置の構成に前記制御情報保持部（３５２７）と前記選択部（３５２８）とを加えた構成を例示している。また、制御部（３５０６）は、制御情報により制御を実行することを特徴とする。
【０１０５】
「制御情報保持部」（３５２７）は、制御情報を複数保持する機能を有する。「制御情報」とは、制御部（３５０６）に制御を実行させるための情報全般を意味する。例えば、各部における処理のためのプログラム等であってもよいし、各部における処理のために必要な情報であってもよい。制御情報には、文字拡大領域と文字列情報とを関連付けた第一文字拡大領域テーブル、文字拡大領域とコンテンツ属性情報とを関連付けた第二文字拡大領域テーブルを含んでいてもよい。前記第一文字拡大領域テーブルとは、例えば、図５のコンテンツ関連情報ＤＢに示したようなテーブルである。前記第二文字拡大領域テーブルとは、例えば、図９に示したようなテーブルである。また、制御情報には、図３６に例示するような前記拡大表示する際の拡大率を定めるための拡大率情報が含まれていてもよい。図３６における拡大率情報は、倍率で示されている。拡大率情報を保持していると、拡大部（３５０５）において拡大処理する際に、保持している拡大率情報に基づいて拡大する等が可能である。さらに、制御情報には、図３７に例示するような前記通知をする際に利用する通知手段を定めるための情報である通知手段特定情報が含まれていてもよい。通知手段特定情報を保持していると、前記通知部ごとに異なった通知方法によって通知させること等が可能である。図３７における通知手段特定情報は、設定する通知部を示す通知部と、通知部における通知手段を関連付けたものである。さらに、例えば、文字列情報、文字画像領域情報、コンテンツ属性情報の各情報の内容ごとに、通知するか否か、通知する場合の通知手段等を指定できるようになっていても便利である。例えば、画像拡大装置の利用者がサッカー中継を見逃したくない場合には、コンテンツ属性情報の番組内容情報がサッカー中継に変化した場合に音によって通知するように設定されていると利用者にとって便利である。また、制御情報保持部の具体例としては、画像拡大装置の電源が切れても処理済画像コンテンツ情報を保持している必要があると思われるため、ＨＤＤ等の磁気記憶装置やフラッシュメモリ等の不揮発性メモリが想定される。
【０１０６】
「選択部」（３５２８）は、制御情報保持部（３５２７）に保持されている制御情報を制御部として機能させるための機能を有する。即ち、制御情報保持部（３５２７）に保持されている複数の制御情報のうち、いずれの制御情報に基づいて制御部（３５０６）にて制御を実行するかを決定するためのものである。自動的に制御情報を選択するようになっていてもよいし、画像拡大装置の利用者がユーザインタフェースを介して選択できるようになっていてもよい。例えば、拡大処理部（３５０４）での処理の際に拡大率を設定したり、処理済画像コンテンツ情報送信部（３５２６）から必要な時に処理済画像コンテンツを送信させたりすることができる。さらに、各部における処理の組み合わせを制御情報として複数保持しておき、利用者が処理の組み合わせを選択して処理させること等も可能である。
【０１０７】
（実施形態１５：処理の流れ）図３８は、本実施形態に係る画像拡大装置における特徴である制御情報による制御の実行に関する処理の流れを示すフロー図を例示する。最初に、制御情報を保持する。この処理は制御情報保持部によって実行される（制御情報保持ステップ  Ｓ３８０１）。次に、前記制御情報保持ステップ（Ｓ３８０１）にて保持されている複数の制御情報から、実行する制御情報を選択する。この処理は選択部によって実行される（制御情報選択ステップ  Ｓ３８０２）。最後に、前記制御情報選択ステップ（Ｓ３８０２）にて選択した制御情報により制御を実行する。この処理は制御部によって実行される（制御実行ステップ  Ｓ３８０３）。本実施形態に係る画像拡大装置における処理は、上記の処理の他に、実施形態１から１４において説明の処理が実行される。
【０１０８】
（実施形態１５：効果）本実施形態に係る画像拡大装置は、実施形態１から１４のいずれか一に係る画像拡大装置の機能に加えて、制御部は制御情報により制御を実行することを特徴とし、制御情報を複数保持する機能と、保持している制御情報を制御部として機能させることができる。これにより、例えば、利用者が随時各部において処理を実行させたりすることが可能である。
（実施形態１６）
【０１０９】
（実施形態１６：概要）本実施形態は、実施形態１５に係る画像拡大装置の機能に加え、前記制御情報保持部に保持されている制御情報を管理する機能を有する画像拡大装置に関する。
【０１１０】
（実施形態１６：構成）本実施形態に係る画像拡大装置の機能ブロックを図３９に例示する。画像拡大装置（３９００）の構成は、実施形態１５に係る画像拡大装置の構成に「制御情報管理部」（３９２９）を加えた構成となっている。
【０１１１】
「制御情報管理部」（３９２９）は、前記制御情報保持部（３９２７）に保持されている制御情報を管理する機能を有する。「管理」とは、具体的には、追加、変更、削除等を意味する。例えば、画像拡大装置の利用者がユーザインタフェースを介して、図３６に示す拡大率情報や、図３７に示す通知手段特定情報などが管理できると便利である。また、画像拡大装置が自動的に管理するようになっていてもよい。例えば、一定時間毎に管理する、特定のイベントをトリガーとして管理する、等となっていてもよい。また、制御情報保持部（３９２７）において保持される制御情報が多くなりすぎた場合に、自動的に一定期間使用されていない制御情報を削除する、利用者が削除する制御情報を指定して削除する、等となっていてもよい。
【０１１２】
（実施形態１６：処理の流れ）本実施形態に係る画像拡大装置における処理の流れは、実施形態１５に係る画像拡大装置における処理の流れと同様である。
【０１１３】
（実施形態１６：効果）本実施形態に係る画像拡大装置は、実施形態１５に係る画像拡大装置の機能に加えて、前記制御情報保持部に保持されている制御情報を管理する機能を有する。これにより、例えば、制御情報保持部に保持されている制御情報に対して、自動的に、又は利用者の意思等によって、追加、変更、削除等を実行することが可能である。
（実施形態１７）
【０１１４】
（実施形態１７：概要）本実施形態は、実施形態１５又は１６に係る画像拡大装置の機能に加え、内部又は外部から電子的処理に応じて発生する処理関連信号を取得する機能を有し、前記制御情報は、処理関連信号取得部が取得する処理関連信号に応じて制御を定めることを特徴とする画像拡大装置に関する。
【０１１５】
（実施形態１７：構成）本実施形態に係る画像拡大装置の機能ブロックを図４０に例示する。画像拡大装置（４０００）の構成は、実施形態１５又は１６に係る画像拡大装置の構成に「処理関連信号取得部」（４０３０）を加えた構成となっている。図４０においては、実施形態１６において説明の画像拡大装置の構成に前記処理関連信号取得部（４０３０）を加えた構成を例示している。また、前記制御情報は、処理関連信号取得部（４０３０）が取得する処理関連信号に応じて制御を定める処理関連信号依存実行テーブルを有することを特徴とする。
【０１１６】
「処理関連信号取得部」（４０３０）は、内部又は外部から電子的処理に応じて発生する処理関連信号を取得する機能を有する。「処理関連信号」とは、主に電子的処理の内容と電子的処理が実行されたことを示す情報が含まれるが、これら以外の情報が含まれていてもよい。
【０１１７】
図４１は、処理関連信号依存実行テーブルを例示する。図４１における処理関連信号依存実行テーブルは、処理関連信号と、処理関連信号に応じて実行される制御を関連付けている。ＩＤ００１とＩＤ００２は内部からの処理関連信号を取得した場合の例である。ＩＤ００３は外部からの処理関連信号を取得した場合の例である。例えば、ＩＤ００１では、拡大処理部において処理が行なわれた場合には、処理済画像コンテンツ情報保持部にて処理済画像コンテンツ情報を保持する、という処理が実行される。ＩＤ００２では、文字画像領域変化情報の取得が行なわれた場合には、拡大表示部へ文字画像領域を拡大表示する、という処理が実行される。この場合には、例えば、図２４に例示したように野球中継のスコアが変化した場合に、画像コンテンツ情報が構成する画像を視聴していなくとも、拡大表示部にスコアが表示されるため便利である。また、ＩＤ００３では、番組が変更された場合には、コンテンツ属性情報変化情報の通知を非通知にする、という処理が実行される。
【０１１８】
（実施形態１７：処理の流れ）図４２は、本実施形態に係る画像拡大装置における特徴である処理関連信号に応じた制御の実行に関する処理の流れを示すフロー図を例示する。最初に、処理関連信号を取得する。この処理は処理関連信号取得部によって実行される（処理関連信号取得ステップ  Ｓ４２０１）。次に、前記処理関連信号取得ステップ（Ｓ４２０１）にて取得された処理関連信号に応じて制御が決定される。この処理は制御情報保持部によって実行される（制御決定ステップ  Ｓ４２０２）。最後に、前記制御決定ステップ（Ｓ４２０２）にて決定された制御を実行する。この処理は制御部によって実行される（決定制御実行ステップ  Ｓ４２０３）。本実施形態に係る画像拡大装置における処理は、上記の処理の他に、実施形態１５又は１６において説明の処理が実行される。
【０１１９】
（実施形態１７：効果）本実施形態に係る画像拡大装置は、実施形態１５又は１６に係る画像拡大装置の機能に加えて、内部又は外部から電子的処理に応じて発生する処理関連信号を取得する機能を有し、前記制御情報は、処理関連信号取得部が取得する処理関連信号に応じて制御を定めることを特徴とする。これにより、内部又は外部によって実行された処理に連動させて他の処理を実行させること等が可能である。
【図面の簡単な説明】
【０１２０】
【図１】実施形態１に係る画像拡大装置の機能ブロック図
【図２】文字列情報取得部の具体例
【図３】文字画像領域の具体例
【図４】文字画像領域の具体例
【図５】実施形態１に係る文字画像領域情報取得部の具体例
【図６】拡大処理部と拡大表示部の具体例
【図７】実施形態１に係る画像拡大装置の処理の流れを示すフロー図
【図８】実施形態２に係る画像拡大装置の機能ブロック図
【図９】コンテンツ属性情報の具体例
【図１０】実施形態２に係る文字画像領域情報取得部の具体例
【図１１】実施形態２に係る画像拡大装置の処理の流れを示すフロー図
【図１２】実施形態３に係る画像拡大装置の機能ブロック図
【図１３】実施形態４に係る画像拡大装置の機能ブロック図
【図１４】実施形態５に係る画像拡大装置の機能ブロック図
【図１５】実施形態６に係る画像拡大装置の機能ブロック図
【図１６】実施形態７に係る画像拡大装置の機能ブロック図
【図１７】文字列情報有無判断結果通知部の具体例
【図１８】文字列情報有無判断結果の通知に関する処理の流れを示すフロー図
【図１９】実施形態８に係る画像拡大装置の機能ブロック図
【図２０】文字画像領域情報有無判断結果の通知に関する処理の流れを示すフロー図
【図２１】実施形態９に係る画像拡大装置の機能ブロック図
【図２２】コンテンツ属性情報有無判断結果の通知に関する処理の流れを示すフロー図
【図２３】実施形態１０に係る画像拡大装置の機能ブロック図
【図２４】文字画像領域が一の領域から他の領域へ変化する場合の具体例
【図２５】文字画像領域変化情報の通知に関する処理の流れを示すフロー図
【図２６】実施形態１１に係る画像拡大装置の機能ブロック図
【図２７】文字列情報が変化する場合の具体例
【図２８】文字列情報変化情報の通知に関する処理の流れを示すフロー図
【図２９】実施形態１２に係る画像拡大装置の機能ブロック図
【図３０】コンテンツ属性情報変化情報の通知に関する処理の流れを示すフロー図
【図３１】実施形態１３に係る画像拡大装置の機能ブロック図
【図３２】処理済画像コンテンツ情報の保持に関する処理の流れを示すフロー図
【図３３】実施形態１４に係る画像拡大装置の機能ブロック図
【図３４】処理済画像コンテンツ情報の送信に関する処理の流れを示すフロー図
【図３５】実施形態１５に係る画像拡大装置の機能ブロック図
【図３６】拡大率情報の具体例
【図３７】通知手段特定情報の具体例
【図３８】制御情報による制御の実行に関する処理の流れを示すフロー図
【図３９】実施形態１６に係る画像拡大装置の機能ブロック図
【図４０】実施形態１７に係る画像拡大装置の機能ブロック図
【図４１】処理関連信号依存実行テーブルの具体例
【図４２】処理関連信号に応じた制御の実行に関する処理の流れを示すフロー図
【符号の説明】
【０１２１】
０１００    画像拡大装置
０１０１    コンテンツ情報取得部
０１０２    文字列情報取得部
０１０３    文字画像領域情報取得部
０１０４    拡大処理部
０１０５    拡大表示部
０１０６    制御部
【図１】
2006285051.tif 000003
【図２】
2006285051.tif 000004
【図３】
2006285051.tif 000005
【図４】
2006285051.tif 000006
【図５】
2006285051.tif 000007
【図６】
2006285051.tif 000008
【図７】
2006285051.tif 000009
【図８】
2006285051.tif 000010
【図９】
2006285051.tif 000011
【図１０】
2006285051.tif 000012
【図１１】
2006285051.tif 000013
【図１２】
2006285051.tif 000014
【図１３】
2006285051.tif 000015
【図１４】
2006285051.tif 000016
【図１５】
2006285051.tif 000017
【図１６】
2006285051.tif 000018
【図１７】
2006285051.tif 000019
【図１８】
2006285051.tif 000020
【図１９】
2006285051.tif 000021
【図２０】
2006285051.tif 000022
【図２１】
2006285051.tif 000023
【図２２】
2006285051.tif 000024
【図２３】
2006285051.tif 000025
【図２４】
2006285051.tif 000026
【図２５】
2006285051.tif 000027
【図２６】
2006285051.tif 000028
【図２７】
2006285051.tif 000029
【図２８】
2006285051.tif 000030
【図２９】
2006285051.tif 000031
【図３０】
2006285051.tif 000032
【図３１】
2006285051.tif 000033
【図３２】
2006285051.tif 000034
【図３３】
2006285051.tif 000035
【図３４】
2006285051.tif 000036
【図３５】
2006285051.tif 000037
【図３６】
2006285051.tif 000038
【図３７】
2006285051.tif 000039
【図３８】
2006285051.tif 000040
【図３９】
2006285051.tif 000041
【図４０】
2006285051.tif 000042
【図４１】
2006285051.tif 000043
【図４２】
2006285051.tif 000044